(57)【特許請求の範囲】
【請求項１】
パネル体を貼付する貼付部を有する筐体と、
前記筐体の前記貼付部に貼付される被貼付部を有するパネル体とを備え、
前記筐体の前記貼付部は、凹部または凸部を形成する段差を有し、
前記パネル体の前記被貼付部は、前記貼付部の凹部に対向する凸部、又は前記貼付部の凸部に対向する凹部を形成する段差を有し、
前記貼付部の凹部の底部と前記被貼付部の凸部の頂部、又は、前記貼付部の凸部の頂部と前記被貼付部の凹部の底部を貼付する貼付手段を具備し、
前記パネル体における前記被貼付部を有する面と交差する端面の少なくともひとつの面が、前記筐体における前記貼付部を有する面と交差する外側の側面の一部を構成し、
前記パネル体は、前記筐体の前記外側の側面の一部を構成する端面と、前記被貼付部を有する面の前記段差の外側の面とが交差する角部が、略直角に交わる携帯端末装置。
【請求項２】
請求項１に記載の携帯端末装置であって、
前記筐体は、前記筐体の前記外側の側面の一部を構成する前記パネル体の前記端面よりも、外側に突出した面を有する、携帯端末装置。
【請求項３】
請求項１または２に記載の携帯端末装置であって、
前記筐体は、ヒンジ部で連結された上部筐体及び下部筐体を有する折畳式の筐体であり、
前記筐体の前記外側の側面の一部を構成する前記パネル体の前記端面は、前記上部筐体又は前記下部筐体の前記ヒンジ部側の外側の側面の一部を構成する、携帯端末装置。
【請求項４】
請求項３に記載の携帯端末装置であって、
前記上部筐体及び前記下部筐体を開いた状態のときには、前記パネル体における前記筐体の前記外側の側面の一部を構成する前記端面は外部に露出するとともに、前記上部筐体及び前記下部筐体を閉じたときには、前記パネル体における前記筐体の前記外側の側面の一部を構成する前記端面は前記ヒンジ部に隠れた状態となる、携帯端末装置。
【請求項５】
請求項１乃至４のいずれか一項に記載の携帯端末装置であって、
前記貼付手段は、両面粘着性を有するテープである携帯端末装置。
【発明の詳細な説明】
【技術分野】
【０００１】
本発明は、携帯電話機、ＰＨＳ（Personal Handyphone System）、ＰＤＡ（Personal Digital Assistant）などの携帯端末装置に関する。
【背景技術】
【０００２】
近時、各種の携帯端末装置が開発され使用されているが、これらの携帯端末装置には、例えば、デザイン性を高めるようにしたり、材料選択性の自由度を高めるなどの理由から、筐体の全面を樹脂製のパネルなどで覆うような構成のものや、筐体の一部に樹脂製のパネルを取り付けるようにしたものが知られている。
【０００３】
また、携帯電話機の筐体の表面にパネルを取り付ける場合に、図６に示すように、筐体の表面に、パネルを挿入できる凹部を設け、この凹部にパネルを挿入し、両面接着用フィルムを介して接着することが知られている（特許文献１参照）。このように凹部にパネルを挿入するのは、パネルと筐体との隙間に指先や薄手のものなどが係止することによるパネルの剥がれを防止するためである。
【特許文献１】特開２００６−２０３４６０号公報（図２）
【発明の開示】
【発明が解決しようとする課題】
【０００４】
しかしながら、筐体の表面に設けた凹部にパネルを挿入する場合、パネル周囲の全てを枠（筐体とパネルとの境界線）で囲まれることになるなど、デザイン上の制約があり、視覚的にすっきりせず、シンプルな外観としての印象が損なわれる場合がある。
【０００５】
本発明は、上記事情に鑑みてなされたもので、デザイン性の向上を図ることができる携帯端末装置を提供することを目的とする。
【課題を解決するための手段】
【０００６】
本発明の携帯端末装置は、パネル体を貼付する貼付部を有する筐体と、前記筐体の前記貼付部に貼付される被貼付部を有するパネル体とを備え、前記筐体の前記貼付部は、凹部または凸部を形成する段差を有し、前記パネル体の前記被貼付部は、前記貼付部の凹部に対向する凸部、又は前記貼付部の凸部に対向する凹部を形成する段差を有し、前記貼付部の凹部の底部と前記被貼付部の凸部の頂部、又は、前記貼付部の凸部の頂部と前記被貼付部の凹部の底部を貼付する貼付手段を具備し、前記パネル体における前記被貼付部を有する面と交差する端面の少なくともひとつの面が、前記筐体における前記貼付部を有する面と交差する外側の側面の一部を構成し、前記パネル体は、前記筐体の前記外側の側面の一部を構成する端面と、前記被貼付部を有する面の前記段差の外側の面とが交差する角部が、略直角に交わるものである。
【０００７】
上記構成によれば、パネル周囲の全てを枠で囲まれることになるなどの、デザイン上の制約が少なくなり、外観がすっきりみえるようになり、デザイン性を向上させることが可能となる。また、段差により、貼付手段を隠すことができるので、貼付手段によって外観が損なわれることも防止できる。
また、パネル体と筐体との隙間に指先や薄手のものなどが係止することによるパネル体の剥がれを防止しつつ、外観がすっきりみえるようになり、デザイン性を向上させることが可能となる。
【００１０】
また、本発明は、上記携帯端末装置において、前記筐体が、前記筐体の前記外側の側面の一部を構成する前記パネル体の前記端面よりも、外側に突出した面を有するものを含む。
【００１１】
上記構成によれば、パネル体と筐体との隙間に指先や薄手のものなどが係止することによるパネル体の剥がれを防止しつつ、外観がすっきりみえるようになり、デザイン性を向上させることが可能となる。
【００１２】
また、本発明は、上記携帯端末装置において、前記筐体が、ヒンジ部で連結された上部筐体及び下部筐体を有する折畳式の筐体であり、前記筐体の前記外側の側面の一部を構成する前記パネル体の前記端面は、前記上部筐体又は前記下部筐体の前記ヒンジ部側の外側の側面の一部を構成するものを含む。
【００１３】
上記構成によれば、ヒンジ部により、パネル体と筐体との隙間に指先や薄手のものなどが係止することによるパネル体の剥がれを防止しつつ、上部筐体又は下部筐体のヒンジ部側がすっきりみえるようになり、上部筐体又は下部筐体のヒンジ部側のデザイン性を向上させることができる。
【００１４】
また、本発明は、上記携帯端末装置において、前記上部筐体及び前記下部筐体を開いた状態のときには、前記パネル体における前記筐体の前記外側の側面の一部を構成する前記端面は外部に露出するとともに、前記上部筐体及び前記下部筐体を閉じたときには、前記パネル体における前記筐体の前記外側の側面の一部を構成する前記端面は前記ヒンジ部に隠れた状態となるものを含む。
【００１５】
上記構成によれば、例えば、携帯端末装置を使用しないでかばんなどに収容しているときなどの、上部筐体と下部筐体を閉じているときは、パネル体の外側の側面の一部を構成する一面は隠れた状態となるので、このときには、パネル体の剥がれを防止できるとともに、携帯端末装置を使用しているときなどの、上部筐体と下部筐体を開いているときは、パネル体の外側の側面の一部を構成する一面は外部に露出するので、このときには、デザイン性を向上することができる。
【００１６】
本発明は、上記携帯端末装置において、前記貼付手段が、両面粘着性を有するテープであるものを含む。
【００１７】
上記構成によれば、パネル体の組み付けが容易かつ筐体に損傷を与えることなく行うことができる。また、両面粘着性を有するテープ（例えば、両面テープ）が段差に保護されて外部に露出することがない（剥き出しにならない）ので、見栄えが向上するとともにテープへのゴミなどの付着を防止することができる。
【発明の効果】
【００１８】
本発明によれば、パネル周囲の全てを枠で囲まれることになるなどの、デザイン上の制約が少なくなり、外観がすっきりみえるようになり、デザイン性に優れた携帯端末装置を提供することができる。また、段差により、貼付手段を隠すことができるため、貼付手段によって外観が損なわれることも防止できる携帯端末装置を提供できる。
【発明を実施するための最良の形態】
【００１９】
（第１の実施の形態）
以下、本発明の第１の実施の形態について、図面を参照しながら詳細に説明する。
図１は、本発明の第１の実施の形態の携帯端末装置である携帯電話機１０を示すものである。携帯電話機１０は、折畳式の筐体で構成されており、上部筐体２及び下部筐体３と、これらの筐体２、３を開閉可能に連結するヒンジ部４とヒンジ軸４１とを備えている。ヒンジ部４及びヒンジ軸４１により、携帯電話機１０は、下部筐体３に対して上部筐体２を２方向（図１ではＹ方向及びＸ方向）に開閉可能となっている。
【００２０】
上部筐体２は、内面（図１（ａ）では下面）２Ａ側に液晶表示部２１及び受話部２２を設けている。
【００２１】
上部筐体２の外面（図１（ａ）では上面）２Ｂには、図２（ｂ）に示すように、ヒンジ部４寄りの端面２Ｃから距離Ｌのところに、内側に凹部Ｄを有する段差Ｓ２を設けている。そして、この凹部Ｄに貼付手段６（例えば、両面テープ（両面粘着性を有するテープ））（同じく、図２（ｂ）参照）を介してパネル体５を取り付けている。すなわち、図２に示す本実施の形態では、上部筐体２は、凹部Ｄに、貼付手段６を介してパネル体５の後述する被貼付部（図２では下面）を貼り付けるようになっている。なお、便宜上、段差Ｓ２の外側の面２E０と段差Ｓ２と段差Ｓ２の内側の面２Eとを総称して貼付部と呼ぶことにする。
【００２２】
また、この上部筐体２では、図２（ｂ）に示すように、外側の側面を構成する端面２Ｃの方が、パネル体５の外側の側面を構成する端面５Ｃよりも長さＬ０だけ外側に突出している。
【００２３】
下部筐体３は、内面（図１では上面）３Ａに操作部３１及び送話部３２を向けているとともに、外面（図１では下面）３Ｂに図示外のバッテリ室を閉じる蓋などを取り付けている。
【００２４】
上部筐体２には、例えば、デザイン性を高めるようにしたり、材料選択性の自由度を高めるなどの理由から、筐体の一部にパネル体５を取り付けている。
【００２５】
このパネル体５は、例えば、高級感のある適宜の材料などを使用してエンブレムを構成すれば、携帯電話機１０に高級感を与えることもできる。または、パネル体５の外面（表面）上にロゴや商品名或いは（ユーザからの注文などを受けて）個々のイニシャルなどを印字或いは刻印できるようにすることもできる。
【００２６】
そのため、パネル体５は、外観的に意匠性の高い適宜の材料、例えば、光沢や深みなどのある質感を有する材料で形成されている。このパネル体５は、携帯電話機１０のアンテナ特性に悪影響を与えないようにするため、樹脂材料などの非導電性のものが望ましいが、小面積のものであってアンテナ特性への影響が少ないものであれば、金属などの導電性を有するもので構成することも可能である。また、パネル体５を、不透明樹脂材料で形成した場合には、上部筐体２を組み立てるときに必要なねじの頭部などをパネル体５で隠すこともできる。
【００２７】
このパネル体５の一面（図２では下面の段差Ｓ１の内側の面５Ａ）は、上部筐体２側の凹部Ｄに貼り付けるようになっている。なお、便宜上、段差Ｓ１の外側の面５Ａ０と段差Ｓ１と段差Ｓ１の内側の面５Ａとを総称して被貼付部と呼ぶことにする。
【００２８】
このように、本実施の形態のパネル体５では、被貼付部５Ａに、上部筐体２側の段差Ｓ２に対向して設けた段差Ｓ１を有する。この段差Ｓ１は、内側に凸部を有する。
【００２９】
しかも、本実施の形態のパネル体５は、図１（ａ）に示すように、ヒンジ部４に臨むように設置されており、上部筐体２に貼り付けた状態で、パネル体５の側面を構成する端面５Ｃが、ヒンジ部４側の外側の側面の一部を構成している。従って、携帯電話機１０を使用しないときに上部筐体２を閉じておけば、パネル体５の側面を構成する端面５Ｃをヒンジ部４で保護することもできる。
【００３０】
パネル体５の前述した被貼付部を構成する面の段差Ｓ１の外側の面５Ａ０と前述した外側の側面の一部を構成する端面５Ｃとが交差する角の部分（角部）Ｅ１は、双方の面が直角又はこれに近い角度で交わるエッジを構成している。換言すれば、これら被貼付部５Ａを構成する面の段差Ｓ１の外側の面５Ａ０と外側の側面を構成する端面５Ｃとの交差する角部Ｅ１は、面取りやＲ取りを行わないようになっている。これにより、パネル体５と上部筐体２との隙間に誤って爪などを引っ掛けてパネルを剥がしてしまうのを防止している。
【００３１】
なお、同様に、上部筐体２の貼付部の段差Ｓ２の外側の面２Ｅ０とヒンジ部４に臨む上部筐体２の外側の側面を構成する端面２Ｃとが交わる角の部分（角部）Ｅ２は、直角又はこれに近い角度で交わるエッジを構成するようにしてもよい。換言すれば、これら外面２Ｂと端面２Ｃとの交差する角部Ｅ２は、面取りやＲ取りを行わないようにしてもよい。
【００３２】
なお、以上の説明では、貼付手段６は、両面テープ（両面粘着性を有するテープ）で構成してあるが、特にこれに限定されるものではなく、適宜の各種接着剤などが使用可能である。
【００３３】
以上のように、本実施の形態の携帯電話機１０によれば、パネル体５の周囲の全てが枠で囲まれることになるなどのデザイン上の制約、が少なくなる。従って、本実施の形態によれば、外観がすっきりみえるようになり、デザイン性を向上させることが可能となる。また、本実施の形態によれば、段差により、貼付手段６を隠すことができるので、貼付手段６によって外観が損なわれることも防止できる。
【００３４】
また、本実施の形態の携帯電話機１０によれば、パネル体５と上部筐体２との隙間に指先や薄手のものなどが係止することによるパネル体５の剥がれを防止しつつ、外観がすっきりみえるようになり、デザイン性を向上させることが可能となる。
また、本実施の形態の携帯電話機１０によれば、ヒンジ部４により、パネル体５と上部筐体２との隙間に指先や薄手のものなどが係止することによるパネル体の剥がれを防止しつつ、上部筐体２又は下部筐体３のヒンジ部側がすっきりみえるようになり、上部筐体２又は下部筐体３のヒンジ部側のデザイン性を向上させることができる。
【００３５】
また、本実施の形態の携帯電話機１０によれば、例えば、携帯電話機１０を使用しないでかばんなどに収容しているときなどの、上部筐体２と下部筐体３を閉じているときは、（実質上、上部筐体２の側面の一部を構成している）パネル体５の端面（一面）５Ｃは隠れた状態となるので、このときには、パネル体５の剥がれを防止できる。一方、携帯電話機１０を使用しているときなどの、上部筐体２と下部筐体３を開いているときは、パネル体５の外側の側面の一部を構成する端面（一面）５Ｃは外部に露出するが、このときには、デザイン性を向上することができる。
【００３６】
また、本実施の形態の携帯電話機１０によれば、前述した貼付手段６が、両面粘着性を有するテープである。この構成によれば、パネル体の組み付けが容易にしかも筐体を傷つけることなく行える。また、両面粘着性を有するテープ（例えば、両面テープ）が段差Ｓ１、Ｓ２に保護されて外部に露出することがない（剥き出しにならない）ので、見栄えが向上するとともにテープへのゴミの付着などが防止できる。
【００３７】
（第２の実施の形態）
次に、本発明の第２の実施の形態について説明する。なお、本実施の形態において、第１の実施の形態と同一部分には同一符号を付した。
図３は、本実施の形態に係る携帯電話機２０を示すものであり、この携帯電話機２０は、折畳式の筐体であり、上部筐体２が一方向にのみ開閉するタイプである。また、本実施の形態の携帯電話機２０は、第１の実施の形態と異なり、パネル体５の側面を構成する端面５Ｄが、上部筐体２のヒンジ部４とは反対側の端面２Ｄに一部が張り出した状態で、上部筐体２の外側の側面の一部を構成している。
【００３８】
本実施の形態の場合、上部筐体２には、外面（図３では上面）２Ｂにおいて、ヒンジ部４寄りの端部とは反対の端部、つまり外側端部に凹部Ｄを設けてあり、そこに貼付手段６（図２（ｂ）参照）を介して、パネル体５を取り付けている。即ち、この上部筐体２の外面２Ｂには、ヒンジ部４とは反対側の端面２Ｄと交わる外縁から一定距離Ｌ（図３（ｂ）参照）だけ奥部寄りに、段差Ｓを設けて凹部Ｄを形成しており、この凹部Ｄにパネル体５を貼付けている。
【００３９】
また、本実施の形態の上部筐体２でも、図２（ｂ）に示すように、第１の実施の形態と同様、端面２Ｄの方が、パネル体５側の端面５Ｄの方よりも長さＬ０だけ外側に突出している。
【００４０】
一方、パネル体５は、第１の実施の形態と異なり、被貼付部５Ａを構成する下面の部分に凸部を形成しておらず、単純にフラットな形状を呈する平面で構成されている。
【００４１】
また、パネル体５の下面５Ａの外縁と外側端面５Ｄとが交差する角の部分（角部）Ｅ１は、双方の面が直角又はこれに近い角度で交わるエッジを構成している。換言すれば、下面５Ａと外側端面５Ｄとの交差する角部Ｅ１には、面取りやＲ取りを行わないようになっている。これにより、本実施の形態でも、パネル体５の剥がれを防止している。
【００４２】
また、同様に、上部筐体２の外面２Ｂの外縁と外側端面２Ｄとが交わる角の部分（角部）Ｅ２は、直角又はこれに近い角度で交わるエッジを構成するようにすることもできる。換言すれば、これら外面２Ｂの外縁と外側端面２Ｄとの交差する角部Ｅ２は、面取りやＲ取りを行わないようにすることもできる。
【００４３】
従って、本実施の形態によれば、パネル体５が、上部筐体２の上面２Ｂの外縁まで張り出して上部筐体２の外側の側面の一部を構成している。このため、第１の実施の形態と同様、本実施の形態のパネル体５は、周囲を枠に囲まれずに設置されており、上部筐体２がすっきりと見えるのでデザイン性が向上する。特に、折畳式の携帯電話機２０において、上部筐体２の外側端面２Ｄまわりがすっきりみえ、デザイン性が向上する。
【００４４】
（第３の実施の形態）
次に、本発明の第３の実施の形態について説明する。なお、本実施の形態において、第１の実施の形態と同一部分には同一符号を付した。
図４は、本実施の形態に係る携帯電話機３０を示すものであり、この携帯電話機３０は、第１、第２の実施の形態と異なり、ストレート状の筐体７で構成されており、パネル体８が、筐体７の上面７Ａの両端部（同図では先端面７Ｂ付近（先端部）及び基端面７Ｃ付近（基端部））にそれぞれ貼付けられている。
【００４５】
パネル体８は、それぞれ、筐体７の外側の側面の一部を構成しているが、第１、第３の実施の形態と同様、それぞれのパネル体８の外側端面８Ｂ，８Ｃよりも、筐体７の先端面７Ｂ及び基端面７Ｃの方が、僅かに外側に張り出している。
【００４６】
また、パネル体８は、いずれも図示しないが、筐体７の貼付部及びパネル体８の被貼付部のうち少なくともいずれか一方に凹部を設けており、この凹部に図示しない貼付手段である両面テープなどを介してパネル体８を貼付けている。
【００４７】
なお、本発明は、上述した実施の形態に何ら限定されるものではなく、その要旨を逸脱しない範囲において種々の形態で実施し得るものである。
即ち、例えば、図２（ｂ）に示す第１の実施の形態のように、上部筐体２の上面２Ｂに凹部Ｄを設けるとともにパネル体５の下面に凸部を設けて、これら凹部と凸部との間を両面テープで固着させてもよい。また、例えば図５（ａ）に示すように、これとは逆に、上部筐体２の上面に凸部をパネル体５の下面に凹部をそれぞれ設ける構成であってもよい。
【００４８】
さらに、例えば、図３（ｂ）に示す第３の実施の形態のように、上部筐体２の上面２Ｂに貼付部として凹部Ｄを設けるとともに、パネル体５の下面５Ａは被貼付部としてフラットな平面で構成してもよい。また、例えば図５（ｂ）に示すように、これとは逆に、上部筐体２の上面２Ｂをフラットな平面形状にするとともに、パネル体５の下面に凹部をそれぞれ設ける構成であってもよい。
【００４９】
さらに、例えば、図５（ｃ）に示すように、上部筐体２の上面及びパネル体５の下面の双方に凹部を形成し、そこに貼付手段６を介してパネル体５を貼り付けるようにしてもよい。
【産業上の利用可能性】
【００５０】
本発明の携帯端末装置は、パネル周囲の全てを枠で囲まれることになるなどの、デザイン上の制約が少なくなり、外観がすっきりみえるようになり、デザイン性を向上させることが可能な携帯端末装置を提供できるのと同時に、段差により、貼付手段を隠すことができるので、貼付手段によって外観が損なわれることも防止できる効果を有し、携帯電話機、ＰＨＳ、ＰＤＡ等の携帯端末装置に有用である。
【図面の簡単な説明】
【００５１】
【図１】本発明の第１の実施の形態に係る携帯電話機を示すものであり、（ａ）は上下筐体を閉じた状態を示す斜視図、（ｂ）は上部筐体を開いた状態を示す斜視図
【図２】（ａ）は第１の実施の形態に携帯電話機を示す側面図、（ｂ）は（ａ）の要部拡大図
【図３】本発明の第３の実施の形態に係る携帯電話機を示すものであり、（ａ）は上下筐体を閉じた状態を示す斜視図、（ｂ）は要部拡大断面図
【図４】本発明の第４の実施の形態に係る携帯電話機を示す斜視図
【図５】（ａ）から（ｃ）はそれぞれ本発明の変形例を示す断面図
【図６】（ａ）は従来のパネルの設置状態を示す要部斜視図、（ｂ）はその断面図
【符号の説明】
【００５２】
１０，２０，３０  携帯電話機（携帯端末装置）
２  上部筐体
２Ａ  内面（下面）
２Ｂ  外面（上面）
２Ｃ，５Ｃ  端面
３  下部筐体
４  ヒンジ部
５  パネル体
６  両面テープ（貼付手段）
７  ストレート状の筐体
７Ａ  上面
７Ｂ  先端面（先端部）
７Ｃ  基端面（基端部）
８  パネル体
Ｄ  凹部
Ｅ１、Ｅ２  角部
Ｓ１，Ｓ２，Ｓ  段差
【図１】
0004898611.tif 000002
【図２】
0004898611.tif 000003
【図３】
0004898611.tif 000004
【図４】
0004898611.tif 000005
【図５】
0004898611.tif 000006
【図６】
0004898611.tif 000007